(57)【要約】【課題】温風や水蒸気を、安全に入浴者近傍へ供給できる安価なサウナ装置の提供。【解決手段】  サウナ装置Ａは、枠体外周を金網で包囲した内枠体２と、内枠体２の外側に同軸配置される外枠体３と、スパイラルフープと、内枠体２の内側に配置される電気ヒータ６と、スパイラルフープと金網との間に積載される天然石塊７とを備え、保護管２１の近傍に臨ませた送気チューブ８の空気吹出穴８１から空気を吹き出し、ロウリュウ水滴水口９２からロウリュウ水を容器９０内の天然石塊７へ滴水する構造である。このサウナ装置Ａは、安価であり、温風や水蒸気を、安全に入浴者近傍へ供給できる。【選択図】図１
2010057851.tif 000002
【特許請求の範囲】
【請求項１】
底板と、
該底板から複数本の保護管を立設し、隣合う保護管間を補強管で環状に連結し、上面を含む枠体外周を金網で包囲してなる内枠体と、
前記底板から複数本のパイプを立設し、隣合うパイプ間を補強パイプで環状に連結してなり、前記内枠体の外側に同軸配置され、前記内枠体より高さが高い筒状の外枠体と、
前記パイプの内面に固定されるスパイラルフープと、
前記内枠体の内側に配置される棒状の電気ヒータと、
前記外枠体の前記スパイラルフープと前記内枠体の前記金網との間の空所に多数個、積載される石塊とを備え、前記電気ヒータに通電して空所内の石塊群を加熱するサウナ装置であって、
複数個の空気吹出穴を形成したリング体を終端に有する送気チューブの立設部を前記保護管の近傍に臨ませ、前記送気チューブの始端を送風装置に接続したことを特徴とするサウナ装置。
【請求項２】
底板と、
該底板から複数本の保護管を立設し、隣合う保護管間を補強管で環状に連結し、上面を含む枠体外周を金網で包囲してなる角筒状の内枠体と、
前記底板から複数本のパイプを立設し、隣合うパイプ間を補強パイプで環状に連結してなり、前記内枠体の外側に同軸配置され、前記内枠体より高さが高い角筒状の外枠体と、  前記パイプの内面に固定されるスパイラルフープと、
前記内枠体の内側に配置される棒状の電気ヒータと、
前記外枠体の前記スパイラルフープと前記内枠体の前記金網との間の空所に多数個、積載される石塊とを備え、前記電気ヒータに通電して空所内の石塊群を加熱するサウナ装置であって、
複数個の空気吹出穴を形成したリング体を終端に有する送気チューブの立設部を前記保護管の近傍に臨ませ、前記送気チューブの始端を送風装置に接続したことを特徴とするサウナ装置。
【請求項３】
前記内枠体の保護管の近傍で立設する水管立設部と、ロウリュウ水を前記石塊へ滴水するロウリュウ水滴水口を複数個、設けた滴水口形成部とを有する水管を付設したことを特徴とする請求項１または請求項２に記載のサウナ装置。
【発明の詳細な説明】
【技術分野】
【０００１】
本発明は、サウナ装置に関する。
【背景技術】
【０００２】
特許文献１には、サウナストーブの真上に、散水器具およびファンを設けたサウナ装置が開示されている。
【特許文献１】特開２００４−２６７４９１
【発明の開示】
【発明が解決しようとする課題】
【０００３】
上記構造のサウナ装置は、下記に示す課題を有する。
ファンが上方にあるので入浴者近傍への熱風供給効率が悪い。
散水した水がサウナストーンで加熱され、その高温水が跳ねて入浴者の身体に当る場合がある。
ファンがセレモニー時しか回転しないので、通常時は熱風が供給されない。
【０００４】
散水器具とサウナストーンとの距離が離れているので、セレモニー効果を出すためには大量の水が必要であるが、大量の水を散水すると、ヒータの温度が低下してしまう。
ファンおよび散水器具をサウナ室の天井に取り付ける必要があるので、装置が大がかりになり、工事に手間がかかるとともに、工事費が高くつく。
【０００５】
本発明の目的は、温風や水蒸気を、安全に入浴者近傍へ供給できる安価なサウナ装置の提供にある。
【課題を解決するための手段】
【０００６】
〔請求項１の手段〕
請求項１のサウナ装置は、底板と、底板から複数本の保護管を立設し、隣合う保護管間を補強管で環状に連結し、上面を含む枠体外周を金網で包囲してなる内枠体と、底板から複数本のパイプを立設し、隣合うパイプ間を補強パイプで環状に連結してなり、内枠体の外側に同軸配置され、内枠体より高さが高い筒状の外枠体と、パイプの内面に固定されるスパイラルフープと、内枠体の内側に配置される棒状の電気ヒータと、外枠体のスパイラルフープと内枠体の金網との間の空所に多数個、積載される石塊とを備え、電気ヒータに通電して空所内の石塊群を加熱する構造である。また、複数個の空気吹出穴を形成したリング体を終端に有する送気チューブの立設部を保護管の近傍に臨ませ、送気チューブの始端を送風装置（外部）に接続している。
【０００７】
サウナ装置は、複数個の空気吹出穴を形成したリング体を終端に有する送気チューブの立設部を保護管の近傍に臨ませ、送気チューブの始端を送風装置（外部に設置）に接続しているため、空気吹出穴から吹き出される空気が、電気ヒータによって加熱された石塊群を通過する際に昇温してサウナ装置の周りへ供給される。
【０００８】
サウナ装置の周りへ熱風を供給する構造であるので、サウナ室内のサウナ入浴者への熱風供給効率に優れ、且つ、温風を、安全に入浴者近傍へ供給できる。なお、温風を供給することにより、サウナ室内の空気が流れるので、室内上部に熱が滞留することがない。
また、空気吹出式なのでファンをサウナ室の天井に取り付ける工事が不要であり、設置費が安価で済む。
【０００９】
〔請求項２の手段〕
請求項２のサウナ装置は、底板と、底板から複数本の保護管を立設し、隣合う保護管間を補強管で環状に連結し、上面を含む枠体外周を金網で包囲してなる角筒状の内枠体と、底板から複数本のパイプを立設し、隣合うパイプ間を補強パイプで環状に連結してなり、内枠体の外側に同軸配置され、内枠体より高さが高い角筒状の外枠体と、パイプの内面に固定されるスパイラルフープと、内枠体の内側に配置される棒状の電気ヒータと、外枠体のスパイラルフープと内枠体の金網との間の空所に多数個、積載される石塊とを備え、電気ヒータに通電して空所内の石塊群を加熱する構造である。また、複数個の空気吹出穴を形成したリング体を終端に有する送気チューブの立設部を保護管の近傍に臨ませ、送気チューブの始端を送風装置（外部に設置）に接続している。
【００１０】
サウナ装置は、複数個の空気吹出穴を形成したリング体を終端に有する送気チューブの立設部を保護管の近傍に臨ませ、送気チューブの始端を送風装置（外部に設置）に接続しているため、空気吹出穴から吹き出される空気が、電気ヒータによって加熱された石塊群を通過する際に昇温してサウナ装置の周りへ供給される。
【００１１】
サウナ装置の周りへ熱風を供給する構造であるので、サウナ室内のサウナ入浴者への熱風供給効率に優れ、且つ、温風を、安全に入浴者近傍へ供給できる。なお、温風を供給することにより、サウナ室内の空気が流れるので、室内上部に熱が滞留することがない。
また、空気吹出式なのでファンをサウナ室の天井に取り付ける工事が不要であり、設置費が安価で済む。
【００１２】
外枠体および内枠体は、共に角筒状とされるので、隣合うパイプ間を連結する補強パイプや、隣合う保護管間を連結する補強管を湾曲させる必要がない。
【００１３】
〔請求項３の手段〕
サウナ装置は、内枠体の保護管の近傍で立設する水管立設部と、ロウリュウ水を石塊へ滴水するロウリュウ水滴水口を複数個、設けた滴水口形成部とを有する水管を付設している。
水管の滴水口形成部のロウリュウ水滴水口から石塊へ滴水したロウリュウ水は、電気ヒータによって加熱された石塊群に当たって気化し、水蒸気となる。
【００１４】
空気吹出穴から吹き出される空気は、電気ヒータによって加熱された石塊群を通過する際に昇温し、この昇温空気は、ロウリュウ水が気化した水蒸気とともに、入浴者が入浴しているサウナ装置の周りへ供給される。
【００１５】
このサウナ装置は、水管の滴水口形成部のロウリュウ水滴水口からロウリュウ水を石塊へ滴水させる構造であるので、散水器具を天井に取り付ける工事が不要である。よって、設置費が安価であり、温風および水蒸気を、安全に入浴者近傍へ供給できる。
【発明を実施するための最良の形態】
【００１６】
サウナ装置は、六角形の底板と、底板から六本の保護管を立設し、隣合う保護管間を補強管で環状に連結し、上面を含む枠体外周を金網で包囲してなる六角筒状の内枠体と、底板から六本のパイプを立設し、隣合うパイプ間を補強パイプで環状に連結してなり、内枠体の外側に同軸配置され、内枠体より高さが高い六角筒状の外枠体と、パイプの内面に固定されるスパイラルフープと、内枠体の内側に配置される棒状の電気ヒータと、外枠体のスパイラルフープと内枠体の金網との間の空所に多数個、積載される石塊とを備え、電気ヒータに通電することにより、空所内の石塊群を加熱している。
【００１７】
このサウナ装置は、四個の空気吹出穴を形成したリング体を終端に有する送気チューブの立設部を保護管の近傍に臨ませ、送気チューブの始端を送風装置に接続している。そして、内枠体の保護管の近傍で立設する水管立設部と、ロウリュウ水を石塊へ滴水するロウリュウ水滴水口を複数個、設けた滴水口形成部とを有する水管を付設している。
【００１８】
空気吹出穴から吹き出される空気は、電気ヒータによって加熱された石塊群を通過する際に昇温し、この昇温空気は、ロウリュウ水が気化した水蒸気とともに、入浴者が入浴しているサウナ装置の周りへ供給される。
このサウナ装置は、散水器具やファンを天井に取り付ける工事が不要であるので設置費が安価であり、温風や水蒸気を、安全に入浴者近傍へ供給できる。
【実施例１】
【００１９】
本発明の実施例１（請求項１〜３に対応）に係るサウナ装置を、図１〜図６に基づいて説明する。
図に示す如く、サウナ装置Ａは、ベースプレート１（底板）と、ベースプレート１から保護管２１を立設させ、保護管２１、２１間を補強管２２で連結した内枠体２と、内枠体２の外側に同軸配置される外枠体３と、外枠体３内を上下に仕切る仕切板４と、スパイラルフープ５と、電気ヒータ６と、スパイラルフープ５と金網２０との間の空所に積載される天然石塊７（石塊）とを備える。
【００２０】
このサウナ装置Ａは、四個の空気吹出穴８１を形成したリング体８２を終端に有する送気チューブ８の立設部８３を保護管２１の近傍に臨ませ、送気チューブ８の始端を送風装置（外部）に接続している。
【００２１】
また、内枠体２の保護管２１の近傍で立設する水管立設部９１と、ロウリュウ水を容器９０内の天然石塊７へ滴水するロウリュウ水滴水口９２を複数個、設けた滴水口形成部９３とを有する水管９を付設している。
【００２２】
金属製のベースプレート１（底板）は、六角形である。このベースプレート１は、連通穴１１に差し込まれるアンカー（六箇所）により、サウナ室の床に固定される。
【００２３】
内枠体２は、六角形状を呈し、ベースプレート１から立設する六本のステンレス製の保護管２１（φ３２）と、隣合う保護管２１、２１間を連結（上部、下部）するステンレス製の補強管２２（φ３２；各六本）と、仕切板４より上方の枠体外周を包囲する金網２０とにより構成される。なお、金網２０の表面には、遠赤外線塗料が塗られている。
【００２４】
外枠体３は、六角形状を呈し、ベースプレート１から立設する六本のステンレス製のパイプ３１（φ３２）と、隣合うパイプ３１、３１間を連結（上部、中部、下部）するステンレス製の補強パイプ３２（φ３２；各六本）とにより構成される。
仕切板４（ステンレス製）は、外枠体３の下部に溶接され、外枠体３内を上下に仕切っている。
【００２５】
金属表面に遠赤外線塗料を塗ったスパイラルフープ５（φ７８０−Ｄ１３−＠１００）は、仕切板４より上方のパイプ３１の内面に固定される。
【００２６】
電気ヒータ６は、本実施例では、棒状の１ｋｗ（三相ＡＣ−２００Ｖ）のシーズヒータ、１５本により構成され、合計容量が１５ｋＷであり、仕切板４より上方の内枠体２の内側に絶縁配置される。この電気ヒータ６は、通電によって発熱し、空所内の天然石塊７を加熱する。なお、シーズヒータの容量や本数、合計容量は任意であり、例えば、合計容量は９ｋＷや２１ｋＷであっても良い。
【００２７】
天然石塊７は、外枠体３のスパイラルフープ５と内枠体２の金網２０との間の空所に多数個、積載される。
なお、仕切板４より下方の枠体内には、遠赤外線ランプ４１で照らされる炭４２が複数個配され、外枠体３の外周がメッシュ（金網に相当）３３で包囲されている。
【００２８】
本実施例のサウナ装置Ａは、以下の利点を有する。
サウナ装置Ａは、送気チューブ８の終端に設けたリング体８２の四個の空気吹出穴８１から空気を吹き出すとともに、水管９の滴水口形成部９３のロウリュウ水滴水口９２から天然石塊７へロウリュウ水を間欠的に滴水させる構造である。
【００２９】
空気吹出穴８１から吹き出される空気は、電気ヒータ６によって加熱された天然石塊７群を通過する際に昇温し、この昇温空気は、そのまま（非滴水時）、または、ロウリュウ水が気化した水蒸気とともに（滴水時）、入浴者が入浴しているサウナ装置Ａの周りへ供給される。
【００３０】
サウナ装置Ａは、装置の周りへ、温風や水蒸気を供給する構造であるので、サウナ室内のサウナ入浴者への熱風供給効率に優れ、且つ、温風や水蒸気を、安全に入浴者近傍へ供給できる。なお、温風を供給することにより、サウナ室内の空気が流れるので、室内上部に熱が滞留することがない。また、空気吹出式なのでファンをサウナ室の天井に取り付ける工事が不要であり、設置費が安価で済む。更に、少量の水でセレモニー効果を演出できるので、浴室内の湿度が上がり過ぎない。
【００３１】
サウナ装置Ａは、仕切板４より上方の内枠体外周を包囲する金網２０と、外枠体３のスパイラルフープ５との間の空所に天然石塊７を多数個、積載し、仕切板４より上方の内枠体２の内側に棒状の電気ヒータ６を配置する構造であるので、電気ヒータ６が天然石塊７とを分離でき、電気ヒータ６が天然石塊７に当たらない。このため、電気ヒータ６の損傷や漏電を防止でき、且つ、電気ヒータ６の交換や保守点検が容易である。
なお、ロウリュウ水滴水口９２から、ロウリュウ水を容器９０内の天然石塊７へ滴水する構造であるので、ロウリュウ水が電気ヒータ６へ落水しない。
【００３２】
サウナ装置Ａは、外枠体３および内枠体２が共に六角形とされるので、隣合うパイプ間を連結する補強パイプ３２や、隣合う保護管２１間を連結する補強管２２を湾曲させる必要がないので、製造コストを低減できる。
【００３３】
サウナ装置Ａは、仕切板４より下方の枠体内に、遠赤外線ランプ４１で照らされる炭４２を複数個配し、外枠体３の外周をメッシュ３３で包囲している。このため、配置した炭４２による、マイナスイオン効果、除菌効果、消臭効果が期待できる。また、遠赤外線ランプ４１で炭４２が照らされるので炭４２が燃えている様に見える。
【００３４】
サウナ装置Ａは、スパイラルフープ５の金属表面に遠赤外線塗料を塗っているのと、天然石塊７が加熱されるため、放出される遠赤外線による効果が期待できる。
【００３５】
本発明は、上記実施例以外に、つぎの実施態様を含む。
ａ．サウナ装置の外枠体、内枠体の形状は、六角形以外の角形（八角形、四角形、三角形等）であっても良く、また、角形状以外に円形であっても良い。
【００３６】
ｂ．空気吹出穴８１から空気を常時吹き出すか否かは、任意である。また、水管９の滴水口形成部９３のロウリュウ水滴水口９２から容器９０内の天然石塊７へロウリュウ水を間欠的に滴水させる時間は任意である。
【図面の簡単な説明】
【００３７】
【図１】実施例１に係るサウナ装置に用いる、ベースプレート、外枠体、および内枠体を組み付けた組付体を正面から見た説明図である。
【図２】実施例１に係るサウナ装置の外観を示す説明図である。
【図３】そのサウナ装置を正面および上面から見た説明図である。
【図４】そのサウナ装置の電気ヒータの配置を示す断面図である。
【図５】その組付体の組み付け構造を示す説明図である。
【図６】そのサウナ装置に用いる、ベースプレート、外枠体、および内枠体の構造を示す説明図である。
【符号の説明】
【００３８】
Ａ  サウナ装置
１  ベースプレート（底板）
２  内枠体
３  外枠体
４  仕切板
５  スパイラルフープ
６  電気ヒータ
７  天然石塊（石塊）
８  送気チューブ
９  水管
２０  金網
２１  保護管
２２  補強管
４１  遠赤外線ランプ
４２  炭
８１  空気吹出穴
８２  リング体
９２  ロウリュウ水滴水口
９３  滴水口形成部
【図１】
2010057851.tif 000003
【図２】
2010057851.tif 000004
【図３】
2010057851.tif 000005
【図４】
2010057851.tif 000006
【図５】
2010057851.tif 000007
【図６】
2010057851.tif 000008